(57)【要約】      （修正有）【課題】鉄棒を両手で持ち、片脚の膝の裏側を鉄棒に引っ掛けて前方回転や後方回転を行う際に、膝の裏側の皮膚に損傷が生じてしまうような事態の発生を防止できる鉄棒の練習用具を提供する。【解決手段】所定の長さを有する円筒状の弾性部材２に螺旋状の切り込み３を設け、この切り込み３を介して弾性部材２を鉄棒Ｐに回転可能に装着し、弾性部材の周面に幅広の粘着テープ４を巻き付けている。また、所定の長さを有する円筒状の弾性部材に螺旋状の切り込みを設け、この切り込みを介して弾性部材を鉄棒に回転可能に装着し、弾性部材の長手方向に単数又は複数の粘着テープ５を張り付け、弾性部材の周面に幅広の粘着テープ４を巻き付けている。さらに、弾性部材は、中央部分が膨出している。【選択図】図５
0003158184.tif 000002
【実用新案登録請求の範囲】
【請求項１】
所定の長さを有する円筒状の弾性部材に螺旋状の切り込みを設け、この切り込みを介して弾性部材を鉄棒に回転可能に装着し、弾性部材の周面に幅広の粘着テープを巻き付けたことを特徴とする鉄棒の練習用具。
【請求項２】
所定の長さを有する円筒状の弾性部材に螺旋状の切り込みを設け、この切り込みを介して弾性部材を鉄棒に回転可能に装着し、弾性部材の長手方向に単数又は複数の粘着テープを張り付け、弾性部材の周面に幅広の粘着テープを巻き付けたことを特徴とする鉄棒の練習用具。
【請求項３】
弾性部材は、中央部分が膨出している請求項１または２に記載の鉄棒の練習用具。
【考案の詳細な説明】
【技術分野】
【０００１】
本考案は、例えば、小学生が鉄棒を両手で持ち、片脚の膝の裏側を鉄棒に引っ掛けて前方回転や後方回転を行う際に、膝の裏側の皮膚に損傷が生じてしまうような事態の発生を確実に防止した、鉄棒の練習用具に関するものである。
【背景技術】
【０００２】
例えば、小学生が鉄棒により前方回転や後方回転を行う際には、鉄棒を両手で持ち、片脚の膝の裏側を鉄棒に引っ掛けた状態を維持するのが一般的である。
【先行技術文献】
【特許文献】
【０００３】
【特許文献１】特に無し
【考案の概要】
【考案が解決しようとする課題】
【０００４】
しかしながら、従来のように、片脚の膝の裏側を鉄棒に引っ掛けた状態を維持しながら前方回転や後方回転を行うと、鉄棒の表面に膝の裏側の皮膚が強く当たって皮膚が引っ張られたような状態となり、ひどいときには、膝の裏側の皮膚が剥けてしまう事態が生じていた。
【０００５】
そこで、本考案は如上のような従来存した諸事情に鑑み創案されたもので、例えば、小学生が鉄棒を両手で持ち、片脚の膝の裏側を鉄棒に引っ掛けて前方回転や後方回転を行う際に、膝の裏側の皮膚に損傷が生じてしまうような事態の発生を確実に防止した、鉄棒の練習用具を提供することを目的とする。
【課題を解決するための手段】
【０００６】
本考案は、所定の長さを有する円筒状の弾性部材に螺旋状の切り込みを設け、この切り込みを介して弾性部材を鉄棒に回転可能に装着し、弾性部材の周面に幅広の粘着テープを巻き付けたことで、上述した課題を解決した。
【０００７】
また、本考案は、所定の長さを有する円筒状の弾性部材に螺旋状の切り込みを設け、この切り込みを介して弾性部材を鉄棒に回転可能に装着し、弾性部材の長手方向に単数又は複数の粘着テープを張り付け、弾性部材の周面に幅広の粘着テープを巻き付けたことで、同じく上述した課題を解決した。
【０００８】
さらに、弾性部材は、中央部分が膨出していることで、同じく上述した課題を解決した。
【考案の効果】
【０００９】
本考案は、所定の長さを有する円筒状の弾性部材に螺旋状の切り込みを設けていることから、この切り込みを介して、誰もが弾性部材を鉄棒に容易に装着することができる。
【００１０】
また、弾性部材が円筒状であることから、弾性部材を鉄棒に回転可能に装着することができる。
【００１１】
さらに、弾性部材の周面に、幅広の粘着テープを巻き付けたことから、鉄棒に装着している弾性部材を外側から充分に保護している。
【００１２】
その為、鉄棒の練習用具が風雨に晒された場合であっても、鉄棒に装着している弾性部材が滑らかに回転できる状態を、長期間に渡り維持することができる。
【００１３】
そして、例えば、小学生が鉄棒を両手で持ち、片脚の膝の裏側を鉄棒に引っ掛けて前方回転や後方回転を行う際に、粘着テープを巻き付けている弾性部材の上に膝の裏側を乗せることにより、前方回転や後方回転に伴って、弾性部材も一緒に回転することとなる。
【００１４】
その結果、前方回転や後方回転を行っている者の膝の裏側の皮膚が、鉄棒の表面に接触することがなく、鉄棒の表面と皮膚面の間に摩擦が生じることもない。
【００１５】
その為、前方回転や後方回転を連続して行ったり、また、回転運動を高速に行った場合においても、膝の裏側の皮膚が強く引っ張られるようなことがなく、皮膚が剥けてしまう事態の発生を確実に防止している。
【００１６】
また、鉄棒の練習用具を用いることにより、長時間の練習が可能となるため、鉄棒の技術を飛躍的に向上させることができる。
【００１７】
この他、本考案は、所定の長さを有する円筒状の弾性部材に螺旋状の切り込みを設け、この切り込みを介して弾性部材を鉄棒に回転可能に装着し、弾性部材の長手方向に単数又は複数の粘着テープを張り付けたことから、鉄棒に装着している弾性部材が、鉄棒から不意に外れて落下してしまう事態の発生を防いでいる。
【００１８】
また、この粘着テープを含む弾性部材の周面に幅広の粘着テープを巻き付けたことから、鉄棒の練習用具に大きな荷重が加えられた場合であっても、練習用具の滑らかな回転を維持することができる。
【００１９】
さらに、鉄棒の練習用具に大きな荷重が加えられた場合であっても、練習用具が破損することもない。
【００２０】
また、弾性部材は、中央部分が膨出していることから、この弾性部材の周面に粘着テープを巻き付けたときには、練習用具自体の中央部分も膨出して、クッション性が向上する。
【００２１】
その為、例えば、小学生が鉄棒を両手で持ち、片脚の膝の裏側を膨出した形状の練習用具の上に乗せて前方回転や後方回転を行う際に、膝の裏側に感じる圧迫感を軽減することができる。
【００２２】
さらに、弾性部材における内周面の一部が鉄棒の表面に当接しながら回転し、弾性部材の内周面の一部が削り取られてしまったような場合であっても、弾性部材の中央部分が膨出して所定の厚みを有することから、依然として練習用具の滑らかな回転を維持することができる。
【図面の簡単な説明】
【００２３】
【図１】切り込みを有する弾性部材の構成を示すもので、（ａ）は弾性部材を一方側から見た状態の斜視図、（ｂ）は弾性部材を他方側から見た状態の斜視図である。
【図２】鉄棒に装着している弾性部材の構成を示すもので、（ａ）は弾性部材を一方側から見た状態の斜視図、（ｂ）は弾性部材を他方側から見た状態の斜視図である。
【図３】切り込みを介して、鉄棒に弾性部材を被せるようにして（弾性部材の孔内に鉄棒を導入するようにして）、鉄棒に弾性部材を装着している途中の状態を示す斜視図である。
【図４】鉄棒に装着している弾性部材の長手方向に粘着テープを張り付けた構成を示すもので、（ａ）は弾性部材を一方側から見た状態の斜視図、（ｂ）は弾性部材を他方側から見た状態の斜視図である。
【図５】鉄棒に装着している弾性部材の長手方向に粘着テープを張り付け、弾性部材の全体に幅広の粘着テープを巻き付けた構成を示すもので、（ａ）は弾性部材を一方側から見た状態の斜視図、（ｂ）は弾性部材を他方側から見た状態の斜視図である。
【図６】鉄棒に装着している弾性部材において、その切り込みについての他の構成例を示す斜視図である。
【図７】中央部分が膨出している弾性部材の他の構成例を示すもので、（ａ）はその弾性部材の斜視図、（ｂ）はその弾性部材を鉄棒に装着している状態の斜視図、（ｃ）は鉄棒に装着している弾性部材の長手方向に粘着テープを張り付け、弾性部材の全体に幅広の粘着テープを巻き付けている状態の斜視図である。
【図８】小学生が鉄棒を両手で持ち、片脚の膝の裏側を鉄棒に引っ掛けて前方回転や後方回転を行う際に、幅広の粘着テープを巻き付けている弾性部材の上に膝の裏側を乗せている状態を示す斜視図である。
【考案を実施するための形態】
【００２４】
以下に、本考案を実施するための形態を、図面を参照して説明する。
【００２５】
本考案は、鉄棒Ｐに装着して使用される、鉄棒Ｐの練習用具１である。
【００２６】
この鉄棒Ｐの練習用具１は、図１（ａ）（ｂ）に示すように、所定の長さを有する円筒状の弾性部材２により構成されている。
【００２７】
弾性部材２は、厚さ約１ｃｍ程度のクッション性を有する、例えば、ウレタンフォーム等を用いて形成されている。
【００２８】
また、弾性部材２は、自身の長手方向に沿って、螺旋状の切り込み３を設けている。この螺旋状の切り込み３は、図１（ａ）（ｂ）に示すように、およそ３０センチメートル前後の弾性部材２において、弾性部材２をおよそ６区画するように設けられている。
【００２９】
そして、図２（ａ）（ｂ）に示すように、弾性部材２を鉄棒Ｐに装着する。
【００３０】
具体的には、弾性部材２の一端部分において、手指により切り込み３を拡げて、若干の隙間を生じさせる。
【００３１】
次に、図３に示すように、切り込み３に沿った最端部の隙間を鉄棒Ｐに宛がい、弾性部材２を回転させながら切り込み３を押し進め、鉄棒Ｐに弾性部材２を被せるようにして（弾性部材２の孔内に鉄棒Ｐを導入するようにして）、鉄棒Ｐに弾性部材２を装着するのである。
【００３２】
また、鉄棒Ｐに弾性部材２の全体を装着したときには、弾性部材２から手を離す。すると、図２（ａ）（ｂ）に示すように、弾性部材２自身の復帰弾性力により、切り込み３が自然に閉じることとなる。
【００３３】
この弾性部材２の内部に存在している孔の内径は、鉄棒Ｐの外径と略同じか、鉄棒Ｐの外径よりも若干大きく形成されている。その為、鉄棒Ｐに弾性部材２を装着し、切り込み部３が閉じた状態で、弾性部材２の全体が回転可能な状態を維持している。
【００３４】
そして、鉄棒Ｐに回転可能に装着されている弾性部材２の周面に、幅広の粘着テープ４を巻き付けることにより、本考案に係る鉄棒Ｐの練習用具１が完成するが、図４（ａ）（ｂ）に示すように、弾性部材２の長手方向に複数の粘着テープ５を張り付け、図５（ａ）（ｂ）に示すように、この粘着テープ５を含む弾性部材１の周面全体に幅広の粘着テープ４を巻き付けると、より好ましいものとなる。
【００３５】
粘着テープ５は、図４（ａ）（ｂ）に示すように、２枚の粘着テープ５が、対向するように弾性部材２の長手方向に張り付けられ、弾性部材２の切り込み３が閉じた状態が維持されている。
【００３６】
この粘着テープ５は、弾性部材２の肉厚面、周面、他の肉厚面に跨るように張り付けられている。
【００３７】
尚、弾性部材２の長手方向に、１枚の粘着テープ５だけを貼り付けても良いし、また、３枚以上の粘着テープ５を貼り付けても良い。
【００３８】
幅広の粘着テープ４は、図５（ａ）（ｂ）に示すように、自身の一部が重なるようにして、弾性部材２の周面全体に巻き付けて行くが、この重なり部分が広いほど、鉄棒Ｐの練習用具１として丈夫なものになる。
【００３９】
また、弾性部材２の周面における一端から他端に向けて幅広の粘着テープ４を巻き付ける行為を複数回行い、粘着テープ４を積層させたときには、鉄棒Ｐの練習用具１がより丈夫なものになる。
【００４０】
この他、図６に示すように、およそ３０センチメートル前後の弾性部材１において、弾性部材２をおよそ４区画するように螺旋状の切り込み３を設けても良い。
【００４１】
また、図７（ａ）に示すように、弾性部材２について、中央部分が膨出するように形成し、この弾性部材２に螺旋状の切り込み３を設けても良い。
【００４２】
そして、図７（ｂ）に示すように、この膨出形状の弾性部材２を鉄棒Ｐに装着し、図７（ｃ）に示すように、弾性部材２の長手方向に２枚の粘着テープ５を張り付けてから、この粘着テープ５を含む弾性部材２の周面全体に幅広の粘着テープ４を巻き付けて、鉄棒Ｐの練習用具１を完成させる。
【００４３】
また、鉄棒Ｐの練習を行う子供達が楽しめるように、幅広の粘着テープ４に種々の色を施したり、キャラクター等の図柄を描いても良い。
【００４４】
本考案に係る鉄棒Ｐの練習用具１の使用に際しては、図８に示すよう、例えば、小学生が鉄棒Ｐを両手で持ち、片脚の膝の裏側を鉄棒Ｐに引っ掛けて前方回転や後方回転を行う際に、幅広の粘着テープ４を巻き付けている弾性部材２の上に膝の裏側を乗せる。
【００４５】
この状態で小学生が前方回転や後方回転を行うと、鉄棒Ｐに装着している弾性部材２も一緒に回転することとなる。
【００４６】
その結果、小学生が鉄棒Ｐにおいて前方回転や後方回転を連続して行ったり、また、回転運動を高速に行った場合においても、膝の裏側が痛くならず、鉄棒Ｐの練習を楽しく行うことができるのである。
【産業上の利用可能性】
【００４７】
本考案に係る鉄棒の練習用具は、片脚の膝の裏側を鉄棒に引っ掛けて前方回転や後方回転を行う際に、練習用具の上に膝の裏側を乗せることの以外に、例えば、逆上がりや前回りを行う際に、練習用具の上にお腹を乗せる等、様々な鉄棒の練習に幅広く利用することができる。
【符号の説明】
【００４８】
Ｐ…鉄棒
１…鉄棒の練習用具
２…弾性部材
３…切り込み
４…幅広の粘着テープ
５…粘着テープ
【図１】
0003158184.tif 000003
【図２】
0003158184.tif 000004
【図３】
0003158184.tif 000005
【図４】
0003158184.tif 000006
【図５】
0003158184.tif 000007
【図６】
0003158184.tif 000008
【図７】
0003158184.tif 000009
【図８】
0003158184.tif 000010